(57)【要約】【課題】  白蟻を餌木に確実に遭遇させ、建物に対する白蟻の予防技術としての信頼性を高められると共に、美観の向上を図ることができるようにする。【解決手段】  白蟻用の餌１０を、毒薬処理が施された餌木１０Ａと、この餌木１０Ａの外表面を覆うように設けられた白蟻が好む材質からなる餌木１０Ｂとによって構成する。そして、白蟻用の餌１０が収納された４個のトラップ外装ケース３と白蟻誘導板４，５を、建物２の周囲の地中に埋設する。これにより白蟻が建物２に向けて地中を進行し、白蟻誘導板４等に突き当たると、この白蟻は白蟻誘導板４の表面をつたってトラップ外装ケース３内に導かれる。トラップ外装ケース３に導かれた白蟻は、まず、当該ケース３内に収容された餌木１０Ｂを加害し、次に餌木１０Ａを加害するので餌木１０Ａを巣に持ち帰らせて巣にダメージを与えることができる。【選択図】      図２
2005204528.tif 000002
【特許請求の範囲】
【請求項１】
建物の周囲の土中に埋設され、白蟻用の餌が収容されるトラップ外装ケースと、白蟻を前記トラップ外装ケースに向けて誘導するため、土中に埋設されて前記トラップ外装ケースに向けて延びた白蟻誘導板とを備えたことを特徴とする白蟻駆除装置。
【請求項２】
建物の周囲の土中に埋設され、白蟻用の餌が収容されるトラップ外装ケースを備え、前記白蟻用の餌は、毒薬処理を施した餌と、当該餌の外表面を覆うように設けられた白蟻が好む餌とを含むように構成したことを特徴とする白蟻駆除装置。
【発明の詳細な説明】
【技術分野】
【０００１】
本発明は、白蟻に薬剤を含浸させた餌木（毒餌）を食べさせることにより、白蟻の巣にダメージを与え、建物を白蟻の被害から守る白蟻駆除装置に関する。
【背景技術】
【０００２】
従来、建物を白蟻の被害から予防する技術として、殺虫もしくは忌避効果を有する薬剤（薬液）を例えば建物の床下等の土壌に散布して吸着させ、この薬剤を吸着させた土壌（白蟻が貫通不可能なバリア）により白蟻が建物内に侵入することを防止する方法が一般的に実施されている。また、これらの土壌処理に使用される薬剤の効果持続期間及び処理に伴う保証期間は通常５年とされており、薬剤の効果維持期間経過後は再度薬剤処理を行う必要がある。
【０００３】
しかし、建物の構造や基礎形状によっては、新築後の必要な時期に必要な部位に適切な薬剤処理を行うことは不可能な場合が多く、また、床下での作業が可能な場合であっても、床下のような狭小かつ半閉鎖空間にて散布等の薬剤処理を行うことは作業者にとって衛生上決して好ましくないことは明らかである。さらに、このような薬剤散布を居住中の床下で行うことは、室内空気質に関する法整備が進む社会動向下において、室内空気質の悪化や居住空間への影響が懸念される等、居住者への不安要素ともなる。
【０００４】
また、一方で、このような従来の建物下への薬剤処理方法に替わる白蟻予防及び駆除の一方法として行われている技術がある（例えば、特許文献１参照）。この特許文献１に記載の技術は、図７及び図８に示すように、建物１００の周囲を取り囲むようにケース１０１が土中に埋設されている。そして、このケース１０１内には餌木１０２を入れて、土中に埋設したケース１０１に白蟻を誘引し、白蟻の加害を確認後、この餌木１０２を、遅効性の薬剤を含浸させた餌木（図示せず）に入れ替えて白蟻に加害させ、この餌木を白蟻の巣まで持ちかえらせて巣内での白蟻間のやり取りにより巣全体にダメージを与えるものである。
【特許文献１】特開２００３−１３７７０５号公報（段落０００４）
【発明の開示】
【発明が解決しようとする課題】
【０００５】
ところで、特許文献１に開示されている白蟻駆除装置は、内部に餌木１０２を入れて土中に埋設したケース１０１に白蟻を誘引するようにしている。しかし、白蟻が地中を進む際は、遠隔より餌木１０２を認知あるいは餌木１０２を狙って掘り進む訳ではなく、白蟻はランダムに地中を進行する中で図７中に示す矢示ａのように「たまたま」埋設されたケース１０１に遭遇し、図８中の矢示ｂ方向へと進行して餌木１０２を加害する。その結果「餌木１０２」の存在が巣にまで伝達され、巣とケース１０１との間のルートが増強され、加害が増進されることとなる。
【０００６】
従って、このような白蟻駆除装置による白蟻に対する予防成果の期待値は「たまたま遭遇する」可能性に依存することになり、土中に埋設されたケース１０１に遭遇せず、図７中の矢示ｃのように白蟻が進行すると、本来の目的である予防すべき建物への加害が進むことが容易に予想される。そこで、ケース１０１に遭遇する可能性、即ち予防技術としての信頼性を高めるためには、土中に埋設されたケース１０１の設置間隔を図７中に点線で示すケース１０１′のように狭めて多くのケース１０１′を設置する必要があるが、非常に高額なものとなる上に、ケース１０１，１０１′の上部は点検のために地表に露出させる必要があるため、植栽等の建物外部の外溝工事等との関係上、設置不可能な場合や、玄関先等の設置位置によっては美観上も好ましくない場合が多いという問題がある。さらに、設置されたケース１０１は年に２回程度の頻度で定期的に白蟻による餌木１０２の加害状況を点検する必要があり、ケース１０１の数が膨大になった場合には点検自体に要する時間・負担が大きくなり、維持管理のコストが増大するという問題がある。
【０００７】
本発明は、前記課題に鑑み、建物の経年経過時の必要な時期に適量の薬剤使用にて、居住者に安全でかつ長期に亘り白蟻から建物を守るための白蟻駆除装置を提供することを目的とする。また、本発明の他の目的は、白蟻を餌木に誘導する機能を持たせ、建物に対する白蟻の予防技術としての信頼性を高められると共に、美観の向上を図ることができ、維持管理のコストを低減できるようにした白蟻駆除装置を提供することにある。
【課題を解決するための手段】
【０００８】
前記課題に鑑み本発明者らは、白蟻が建物の基礎から建物内へと侵入する際には、コンクリートの基礎面等をつたって進行する等の習性に基いて、本発明を完成した。
【０００９】
本発明は、前記課題を解決すべく構成されるものであり、請求項１に記載の発明は、建物の周囲の土中に埋設され、白蟻用の餌が収容されるトラップ外装ケースと、白蟻を前記トラップ外装ケースに向けて誘導するため、土中に埋設されて前記トラップ外装ケースに向けて延びた白蟻誘導板とを備えたことを特徴とする白蟻駆除装置である。
【００１０】
請求項１に記載の発明によれば、土中を進行する白蟻は白蟻誘導板に遭遇すると、前記習性により白蟻誘導板の表面をつたいながら土中を進行するようになる。そして、白蟻誘導板は、トラップ外装ケースに向けて延びているから、白蟻は白蟻誘導板をつたってトラップ外装ケースへと誘導され、トラップ外装ケース内の餌を加害する。餌を加害した白蟻は、巣に戻って餌があることを他の白蟻に伝え、その結果、白蟻の巣とトラップ外装ケースとの間のルートが増強され、多数の白蟻による餌の加害が進行する。そして、トラップ外装ケース内の餌の加害を確認した後、前記餌を例えば毒薬処理を施した餌と交換することにより、この餌を白蟻が持ち帰り、巣にダメージを与えることができる。従って、特許文献１のように白蟻をトラップ外装ケース内に導くためにトラップ外装ケースの設置間隔を狭める必要がなくなり、トラップ外装ケースの個数を減らして、コストを削減することができる。また、特許文献１の場合、トラップ外装ケースの個数を増やすと、全てのトラップ外装ケースについて、白蟻が餌を加害しているか否かを点検する必要があり、点検自体に要する時間・負担が大きくなる。しかし、本発明によれば、白蟻誘導板を用いることにより、トラップ外装ケースの個数を減らすことができるから、前記のような多数のトラップ外装ケースの点検作業を行う必要がなくなり、点検作業時における作業性を高めることができる。
【００１１】
請求項２に記載の発明は、建物の周囲の土中に埋設され、白蟻用の餌が収容されるトラップ外装ケースを備え、前記白蟻用の餌は、毒薬処理を施した餌と、当該餌の外表面を覆うように設けられた白蟻が好む餌とを含むように構成したことを特徴とする白蟻駆除装置である。
【００１２】
請求項２に記載の発明によれば、白蟻が好む餌を、毒薬処理を施した餌の外表面を覆うように設けたため、土中を進行する白蟻がトラップ外装ケースに遭遇してトラップ外装ケース内に侵入すると、まず、白蟻は、白蟻が好む餌を加害し、その結果、白蟻の巣とトラップ外装ケースとの間のルートが増強され、多数の白蟻による餌の加害が進行する。そして、この餌の加害が進行すると、毒薬処理を施した餌が外部に露出し、この毒薬処理を施した餌を白蟻が加害してこの餌を巣に持ち帰り、巣にダメージを与える。従って、特許文献１のように、白蟻による餌の加害を確認後、この餌を、遅効性の薬剤を含浸させた餌と交換するような交換作業を省略することができる。
【発明の効果】
【００１３】
本発明によれば、白蟻を白蟻誘導板を用いて餌に誘導させ、建物に対する白蟻の予防技術としての信頼性を高められる。また、前記特許文献１のように地中に埋設されるトラップ外装ケースの個数を増やして当該ケース同士の間隔を狭める必要がなくなり、美観の向上を図ることができると共に、維持管理のコストを低減することができる。また、前記のようにトラップ外装ケースの個数を減らすことができるため、少量の薬剤で効果を発揮し、長期に亘り建物を白蟻の食害から守ることができる。さらに、特許文献１のように、白蟻による餌の加害を確認後、この餌を、遅効性の薬剤を含浸させた餌と交換するような交換作業を省略することができ、維持管理コストを低減することができる。
【発明を実施するための最良の形態】
【００１４】
以下、添付図面を参照して、本発明の実施の形態を詳細に説明する。なお、説明において、同一要素には同一符号を用い、重複する説明は省略する。
【００１５】
図１は、本発明の実施の形態に係る白蟻駆除装置を示す斜視図であり、図２は、図１の平面図である。図３はトラップ外装ケース、餌木及び白蟻誘導板を図２中の矢示III−III方向からみた拡大断面図である。図４は、トラップ外装ケース、餌木及び白蟻誘導板を図３中の矢示IV−IV方向からみた断面図である。
【００１６】
図１に示すように、本実施の形態に係る白蟻駆除装置１は、建物２の周囲を取り囲むように設置されている。そして、白蟻駆除装置１は、建物２の四隅側の位置で地中に埋設された４個のトラップ外装ケース３，３，…と、各トラップ外装ケース３，３の間を繋ぐように建物２の長手方向に沿って互いに平行に延びて地中に埋設された長尺な第１の白蟻誘導板４，４（以下、白蟻誘導板４，４という）と、各トラップ外装ケース３，３の間を繋ぐように白蟻誘導板４，４と直交する方向に互いに平行に延びて地中に埋設された短尺な第２の白蟻誘導板５，５（以下、白蟻誘導板５，５という）とを備えている。そして、白蟻誘導板４，４と白蟻誘導板５，５は建物２の周囲を長方形状に取り囲むように配置されている。
【００１７】
ここで、地中を図２中の矢示Ａ方向へと建物２に向かって進行する白蟻が白蟻誘導板４，４，５，５に突き当たると、白蟻は白蟻誘導板４，４，５，５の表面をつたって図２中の矢示Ｄ方向または矢示Ｄ′方向へと進行する習性をもっている。
【００１８】
なお、白蟻誘導板４，４，５，５は、地中での長期耐久性を有し、かつ白蟻に食害されないもの、例えば金属板やコンクリート板等を用いるのが好ましいが、耐腐朽処理等の薬剤処理を施したものは、白蟻を忌避させるため、使用には向かない。また、白蟻誘導板４，４，５，５の下端は深い程、白蟻に対する誘導確率は高まる。しかし、白蟻は湿潤な土壌は好まないため、白蟻誘導板４，４，５，５の下端は水位等、敷地状況に応じて設定するのが好ましい。また、白蟻が例えば図２中の矢示Ｃ方向へと白蟻誘導板４を乗り越えるのを抑制するために、白蟻誘導板４，４，５，５の上端は地表面Ｇ（図３参照）に可能な限り近い程よい。
【００１９】
トラップ外装ケース３は、上下方向に延びる円筒体として形成されている。そして、トラップ外装ケース３は、白蟻が出入り可能な多数の孔３Ａ，３Ａ，…が穿設された周面である円筒部３Ｂと、円筒部３Ｂの下端に一体に設けられ、円筒部３Ｂと同様に白蟻が出入り可能な多数の孔３Ｃが穿設された底面である底部３Ｄと、円筒部３Ｂの上端に蝶番（図示せず）等を介して開閉可能に設けられた円板等からなる上蓋３Ｅとを有している。なお、トラップ外装ケース３は、地中での長期耐久性を有し、耐不朽処理等の薬剤処理を行っていないものが好ましい。耐腐朽処理等の薬剤処理を施したものは、白蟻を忌避させるため、使用には向かない。そして、各トラップ外装ケース３の円筒部３Ｂは、図１及び図４に示すように、両方の白蟻誘導板４，５の端部側の表面と接触するように配置されている。このため、白蟻誘導板４，５の表面を図２ないし図４中の矢示Ｄ，Ｄ′方向へとつたってきた白蟻は、矢示Ｅ方向（図３、図４参照）へと円筒部３Ｂの孔３Ａを介してトラップ外装ケース３の内部に収容された白蟻用の餌１０に導かれる。また、白蟻を底部３Ｄの孔３Ｃを介してトラップ外装ケース３の内部へと導くこともできる。なお、底部３Ｄの孔３Ｃは、水抜き用の穴としての機能も有している。
【００２０】
白蟻用の餌１０は、図３及び図４に示すように、例えば遅効性薬剤である毒薬の処理が施された角柱状をなす餌木１０Ａと、この餌木１０Ａの外表面を覆うように設けられた白蟻が好む材質からなる角筒状の餌木１０Ｂとによって構成されている。なお、餌木１０Ａと餌木１０Ｂは、白蟻の好む松材等を用いて形成するのが好ましい。
【００２１】
次に、このように構成される白蟻駆除装置１の作用効果について説明する。
まず、地中を図２中の矢示Ａ方向へと建物２に向かって進行する白蟻が白蟻誘導板４，４，５，５に突き当たると、白蟻は、その習性から白蟻誘導板４，４，５，５の表面をつたって図２ないし図４中の矢示Ｄ方向または矢示Ｄ′方向へと進行する。
【００２２】
ここで、本実施の形態では、各トラップ外装ケース３の円筒部３Ｂは、両方の白蟻誘導板４，５の端部側の表面と接触するように配置されている。このため、白蟻誘導板４，４，５，５の端部側まで白蟻誘導板４，４，５，５の表面をつたって進行した白蟻は、図３及び図４中の矢示Ｅ方向へとトラップ外装ケース３の孔３Ａを介して当該ケース３内に侵入し、餌木１０Ｂを加害する。また、地中を進行中の白蟻がたまたまトラップ外装ケース３に遭遇した場合についても、図３及び図４中の矢示Ｆ方向へとトラップ外装ケース３内に侵入し、餌木１０Ｂを加害する。そして、餌木１０Ｂを加害した白蟻は、巣に戻って白蟻用の餌１０の場所を他の白蟻に伝える。この結果、複数の白蟻がトラップ外装ケース３内に侵入し、次第に白蟻の巣とトラップ外装ケース３との間のルートが拡大し、複数の白蟻が前記ルートを通じて餌木１０Ｂを加害する。このように、餌木１０Ｂの加害が進行するに従って徐々に餌木１０Ａが外部に露出し、その結果、白蟻は餌木１０Ｂと一緒に餌木１０Ａを巣に持ち帰り、巣内での白蟻間における餌木１０Ａのやり取りにより白蟻の巣にダメージが与えられ、最終的には巣全体が撲滅される。
【００２３】
従って、本実施の形態によれば、白蟻を白蟻誘導板４，４，５，５を用いて白蟻用の餌１０に誘導させ、建物２に対する白蟻の予防技術としての信頼性を高められる。また、特許文献１のように地中に埋設されるトラップ外装ケースを多数用意する必要がなくなり、トラップ外装ケース３同士の間隔を広げることができる。その結果、トラップ外装ケース３の個数を特許文献１のものに比較して減らすことができ、美観の向上を図ることができると共に、維持管理のコストを低減することができる。また、白蟻が好む餌を、毒薬処理を施した餌の外表面を覆うように設けたため、特許文献１のように、白蟻による餌の加害を確認後、この餌を、遅効性の薬剤を含浸させた餌と交換するような交換作業を省略することができ、これによっても維持管理のコストを低減することができる。さらに、前記のようにトラップ外装ケース３の個数を減らすことができるため、少量の薬剤で効果を発揮し、長期に亘り建物を白蟻の食害から守ることができると共に、居住者に安全でかつ長期に亘り白蟻から建物を守ることができる。
【００２４】
なお、本実施の形態では、トラップ外装ケース３を白蟻誘導板４，４，５，５の表面に接触させる構成とした場合を例に挙げて説明した。しかし、本発明はこれに限ることなく、例えば図５に示す第１の変形例のように、白蟻誘導板４′にトラップ外装ケース３の直径とほぼ同じ幅と溝深さを有した切欠凹溝４Ａ′を形成し、この切欠凹溝４Ａ′内にトラップ外装ケース３を矢印のように、はめ込んで取り付ける構成としてもよい。
【００２５】
また、本実施の形態では、白蟻用の餌１０を角柱状に形成した場合を例に挙げて説明したが、本発明はこれに限ることなく、例えば図６に示す第２の変形例のように、餌木１０Ａ′と、この餌木１０Ａ′の外表面を覆う餌木１０Ｂ′からなる白蟻用の餌１０′を球状に形成してもよい。
【００２６】
さらに、本実施の形態では、トラップ外装ケース３に白蟻が出入りするための孔３Ａを複数設ける構成とした場合を例に挙げて説明したが、本発明はこれに限ることなく、トラップ外装ケース３の円筒部３Ｂ及び底部３Ｄをメッシュ構造としてもよい。
【００２７】
さらに、本実施の形態では、白蟻駆除装置１を、白蟻誘導板４，４，５，５と、餌木１０Ａ，１０Ｂからなる二重構造の白蟻用の餌１０との両方を含んで構成する場合を例に挙げて説明したが、本発明はこれに限ることなく、例えば白蟻誘導板４，４，５，５を用いると共に、二重構造からなる白蟻用の餌１０を廃止して、単一の材料からなる白蟻用の餌を用いてもよいし、二重構造からなる白蟻用の餌１０を用いると共に、白蟻誘導板４，４，５，５を省略してもよい。
【図面の簡単な説明】
【００２８】
【図１】本発明の実施の形態に係る白蟻駆除装置及び建物を示す斜視図である。
【図２】本発明の実施の形態に係る白蟻駆除装置及び建物を示す平面図である。
【図３】トラップ外装ケース、餌木及び白蟻誘導板を図２中の矢示III−III方向からみた拡大断面図である。
【図４】トラップ外装ケース、餌木及び白蟻誘導板を図３中の矢示IV−IV方向からみた断面図である。
【図５】本発明の第１の変形例によるトラップ外装ケース、餌木及び白蟻誘導板を示す縦断面図である。
【図６】本発明の第２の変形例によるトラップ外装ケース及び餌木を示す縦断面図である。
【図７】従来技術による白蟻駆除装置および建物を示す平面図である。
【図８】白蟻駆除装置を図７中の矢示VIII−VIII方向から拡大してみた断面図である。
【符号の説明】
【００２９】
１      白蟻駆除装置
２      建物
３      トラップ外装ケース
３Ａ，３Ｃ  孔
４      第１の白蟻誘導板
４′    白蟻誘導板
５      第２の白蟻誘導板
１０，１０′  白蟻用の餌
１０Ａ，１０Ａ′，１０Ｂ，１０Ｂ′  餌木
【図１】
2005204528.tif 000003
【図２】
2005204528.tif 000004
【図３】
2005204528.tif 000005
【図４】
2005204528.tif 000006
【図５】
2005204528.tif 000007
【図６】
2005204528.tif 000008
【図７】
2005204528.tif 000009
【図８】
2005204528.tif 000010